(57)【特許請求の範囲】
【請求項１】
ノズルを備えるとともに、容器本体の口部に嵌着される嵌着部を備える吐出器と、
吐出器の嵌着部の外周に回転自在かつ軸方向には該嵌着部を少なくとも容器本体の口部に押し付ける一方向に係止されて取付けられ、容器本体の口部に螺着されるスクリューリングとを有し、
容器本体の口部と吐出器の嵌着部のそれぞれの周方向の１カ所に、それらの周方向で係合する位置決め係合部を設け、スクリューリングが容器本体の口部に螺着されたとき、吐出器の嵌着部に設けた位置決め係合部が容器本体の口部に設けた位置決め係合部に周方向で係合し、吐出器のノズルを容器本体に対する特定の方向に位置付ける容器であって、
容器本体の口部に設けた位置決め係合部が、容器本体の口部に螺着されるスクリューリングの締め込み回転に連れ回る嵌着部の回転方向に対して直角の立上り壁をなし、
容器本体の口部の上記位置決め係合部が設けられる外周壁が、上記立上り壁の壁上端から上記嵌着部の回転方向に沿って下降する緩傾斜面を経て上記立上り壁の壁下端につながる容器。
【発明の詳細な説明】
【技術分野】
【０００１】
本発明はトリガー式スプレー容器、プッシュポンプ付容器等の容器に関する。
【背景技術】
【０００２】
従来のトリガー式スプレー容器として、特許文献１に記載の如く、ノズルを備えるとともに、容器本体の口部に嵌着される嵌着部を備える吐出器と、吐出器の嵌着部の外周に回転自在かつ軸方向には該嵌着部を少なくとも容器本体の口部に押し付ける一方向に係止されて取付けられ、容器本体の口部に螺着されるスクリューリングとを有してなるものがある。
【０００３】
従来のプッシュポンプ付容器として、特許文献２に記載の如く、ノズルヘッドに一体に取付けられたピストンを摺動可能に収容するシリンダを容器本体の口部内に挿入し、シリンダのフランジを覆うスクリューキャップを容器本体の口部外周に螺着し、該シリンダを容器本体に押え付けて固定するものがある。このとき、シリンダのフランジの内周キー溝を容器本体の口部の外周キー溝に嵌合している。これにより、使用者がこの容器を購入した使用開始当初に、ノズルヘッド及びピストンをリフトアップさせるために、ノズルヘッドを回転させても、ノズルヘッドと一体のピストンを介してシリンダが容器本体の口部に対し相対回転することがなく、シリンダを押えているスクリューキャップがシリンダと共回りして容器本体の口部から外れてしまう不都合を解消しようとするものである。
【先行技術文献】
【特許文献】
【０００４】
【特許文献１】特許4067157
【特許文献２】特開2003-192068
【発明の概要】
【発明が解決しようとする課題】
【０００５】
特許文献１に記載のトリガー式スプレー容器は、組立状態で、吐出器のノズル（該ノズルの液吐出方向）を容器本体に対する前方等の特定の方向に位置付けるときには、スクリューリングを容器本体の口部に螺着して吐出器の嵌着部を容器本体の口部にある程度締め付けたところで、容器本体に対する吐出器の方向合せを行ない、その後、スクリューリングを更に螺着して吐出器の嵌着部を容器本体の口部に固く締め付ける必要がある。
【０００６】
特許文献２に記載のプッシュポンプ付容器は、ノズルヘッドに連結されているシリンダを容器本体の口部に押さえ付けて固定するスクリューキャップが、使用者によるこの容器の使用開始当初に、シリンダと共回りして容器本体の口部から外れるのを防止するものであり、組立状態で、ノズルヘッドを容器本体に対する前方等の特定方向に位置付けようとするところが全くない。
【０００７】
本発明の課題は、トリガー式スプレー容器等において、組立状態で、吐出器のノズルを容器本体に対する特定の方向に簡易に位置付けることにある。
【課題を解決するための手段】
【０００８】
請求項１の発明は、ノズルを備えるとともに、容器本体の口部に嵌着される嵌着部を備える吐出器と、吐出器の嵌着部の外周に回転自在かつ軸方向には該嵌着部を少なくとも容器本体の口部に押し付ける一方向に係止されて取付けられ、容器本体の口部に螺着されるスクリューリングとを有し、容器本体の口部と吐出器の嵌着部のそれぞれの周方向の１カ所に、それらの周方向で係合する位置決め係合部を設け、スクリューリングが容器本体の口部に螺着されたとき、吐出器の嵌着部に設けた位置決め係合部が容器本体の口部に設けた位置決め係合部に周方向で係合し、吐出器のノズルを容器本体に対する特定の方向に位置付ける容器であって、容器本体の口部に設けた位置決め係合部が、容器本体の口部に螺着されるスクリューリングの締め込み回転に連れ回る嵌着部の回転方向に対して直角の立上り壁をなし、容器本体の口部の上記位置決め係合部が設けられる外周壁が、上記立上り壁の壁上端から上記嵌着部の回転方向に沿って下降する緩傾斜面を経て上記立上り壁の壁下端につながるようにしたものである。
【発明の効果】
【０００９】
本発明によれば、トリガー式スプレー容器等において、スクリューリングを容器本体の口部に螺着し、吐出器の嵌着部を容器本体の口部に締め付ける組立工程の完了と同時に、吐出器のノズルを容器本体に対する特定の方向に簡易に位置付けることができる。
【図面の簡単な説明】
【００１０】
【図１】図１は容器の組立完了状態を示す断面図である。
【図２】図２は図１のスクリューリングを一部破断して示す斜視図である。
【図３】図３はスクリューリングにより被着された容器本体の口部と吐出器の嵌着部の各位置決め係合部を示す組立過程における拡大図である。
【図４】図４はスクリューリングを取外して容器本体の口部と吐出器の嵌着部の各位置決め係合部を示す拡大図である。
【発明を実施するための形態】
【００１１】
図１、図２に示すトリガー式スプレー容器１０は、容器本体１１の口部１２に被着されて螺着されるスクリューリング３０により吐出器２０を該口部１２に固定したものである。容器１０は、吐出器２０が備えるノズル２１を容器本体１１に対する前方等の特定の方向に位置付け、このノズル２１から糊材、コーティング材等をその特定の方向に向けてスプレー状に吐出する。
【００１２】
吐出器２０は、その内部に内筒部２０Ａと外筒部２０Ｂを備え、外筒部２０Ｂの外周には概ねフランジ状をなすように張り出る筒状嵌着部２３が設けられ、この嵌着部２３は容器本体１１の口部１２の開口端に軸方向の外方から下向きに嵌着される。内筒部２０Ａには、ディップチューブ２５が嵌合され、ディップチューブ２５は容器本体１１の容器内空間１１Ａの底部にまで延在される。
【００１３】
スクリューリング３０は、環状体３１の上端部において内側に向かって張り出す環状突部３２を備え、この環状突部３２によって吐出器２０の嵌着部２３に、回転自在に係止される。環状体３１の上端部にある環状突部３２により吐出器２０にスクリューリング３０が係止されているので、スクリューリング３０がその環状体３１により容器本体１１に取付けられるとき、軸方向において吐出器２０の嵌着部２３が容器本体１１の口部１２に押し付けられることになる。尚、本実施例では、スクリューリング３０の環状突部３２は、吐出器２０の外筒部２０Ｂの周囲で、吐出器２０のポンプ室４１を形成する側と嵌着部２３との間に回転自在に係入され、吐出器２０の嵌着部２３の外周に軸方向の双方向で係止可能に取付けられている。環状体３１の内周に設けためねじ部３３は容器本体１１の口部１２の外周に設けたおねじ部１３に螺着される。
【００１４】
容器１０は、吐出器２０にトリガー４０を有する。トリガー４０はピストン４２を圧縮ばね４３に抗してポンプ室４１に押し込み操作可能にする。トリガー４０を押し込み操作すると、ポンプ室４１内の液状物はノズル２１から容器本体１１に対する前方等の特定の方向に向けて吐出される。トリガー４０の押し込み操作を解除すると、ピストン４２が圧縮ばね４３により原位置に戻され、ポンプ室４１に吸引圧が作用し、容器内空間１１Ａの液状物はポンプ室４１に吸引される。
【００１５】
しかるに、容器１０は、吐出器２０のノズル２１（ノズル２１の液吐出方向）を容器本体１１に対する前方等の特定の方向に簡易に位置付けて組立可能にするため、以下の構成を具備する。
【００１６】
容器１０は、図１〜５に示す如く、容器本体１１の口部１２と吐出器２０の嵌着部２３のそれぞれの周方向の１カ所に、それらの周方向で係合する本体側位置決め係合部５１、吐出器側位置決め係合部５２を設ける。
【００１７】
本体側位置決め係合部５１は容器本体１１の口部１２の外周であって、おねじ部１３の直上の外周であり、吐出器２０の嵌着部２３が嵌着される口部１２の開口端寄りの外周に設けられ、容器本体１１のおねじ部１３に螺着されるスクリューリング３０の締め込み回転に連れ回る嵌着部２３の回転方向に対して概ね直角の立上り壁状をなす。容器本体１１の口部１２の、本体側位置決め係合部５１が設けられる外周壁は、立上り壁状の位置決め係合部５１の壁上端５１Ａから嵌着部２３の上述の回転方向に沿って滑らかに連続下降する緩傾斜面５１Ｃを経て本体側位置決め係合部５１の壁下端５１Ｂにつながり、位置決め係合部５１以外の立上り部を設けていない。即ち、緩傾斜面５１Ｃは、壁上端５１Ａから壁下端５１Ｂにまで、口部１２の外周壁を一回りしている。
【００１８】
尚、図からも明らかなように、本体側位置決め係合部５１はおねじ部１３より小さな径であって、口部１２の上部において、おねじ部１３が形成されている面から陥没する如く設けてある。
【００１９】
吐出器側位置決め係合部５２は吐出器２０の嵌着部２３の下向き端面に設けられ、容器本体１１のおねじ部１３に螺着されるスクリューリング３０の締め込み回転に連れ回る嵌着部２３の回転方向に対して概ね直角の立下り壁状をなす。吐出器２０の嵌着部２３の位置決め係合部５２が設けられる外周部は、立下り壁状の吐出器側位置決め係合部５２の壁上端５２Ａから嵌着部２３の上述の回転方向に沿って滑らかに連続する緩傾斜面５２Ｃを経て位置決め係合部５２の壁下端５２Ｂにつながり、位置決め係合部５２以外の立下り部を設けていない。即ち、緩傾斜面５２Ｃは、壁上端５２Ａから壁下端５２Ｂにまで、嵌着部２３の外周を一回りしている。
【００２０】
そして、容器本体１１の側の位置決め係合部５１と吐出器２０の側の位置決め係合部５２は、それらが容器本体１１の口部１２と吐出器２０の嵌着部２３の周方向で相衝合して係合するとき、吐出器２０のノズル２１を容器本体１１に対する特定の方向に位置付けるように配置される。
【００２１】
これにより、容器１０の組立時に、スクリューリング３０が図３の組立初期状態から容器本体１１のおねじ部１３に螺着され、スクリューリング３０の締め込み回転に連れ回る吐出器２０の嵌着部２３に設けた吐出器側位置決め係合部５２が、図１、図２、図３（Ｂ）に示す如く、容器本体１１の口部１２に設けた本体側位置決め係合部５１に周方向で係合する組立完了状態に至ると、吐出器２０のノズル２１は容器本体１１に対する特定の方向に位置付けられる。
【００２２】
即ち、本実施例によれば、以下の作用効果を奏する。
容器１０の組立時に、吐出器２０の嵌着部２３に回転自在に係止されて取付けられているスクリューリング３０を容器本体１１の口部１２に螺着していくと、スクリューリング３０に連れ回る吐出器２０の嵌着部２３に設けてある吐出器側位置決め係合部５２が容器本体１１の口部１２に設けてある本体側位置決め係合部５１に相衝合して係合し、吐出器２０の嵌着部２３が回り止めされる。このとき、各位置決め係合部５１、５２はそれらの周方向の１カ所にだけ設けられ、２つの位置決め係合部５１、５２の衝合により、吐出器２０の嵌着部２３、ひいてはノズル２１が容器本体１１に対する所定の方向に位置付けられるものになる。即ち、スクリューリング３０を螺着していくと、吐出器２０の嵌着部２３は上述の回り止めされた位置で容器本体１１の口部１２に固く締め付けられるものになる。これにより、スクリューリング３０を容器本体１１の口部１２に螺着し、吐出器２０の嵌着部２３を容器本体１１の口部１２に締め付ける組立工程の完了と同時に、吐出器２０のノズル２１を容器本体１１に対する特定の方向に位置付けることとなり、簡易に方向を合わせることができる。
【００２３】
本発明は、上記実施例に限られるものではない。例えば、緩傾斜面を設けずに、吐出器側位置決め係合部５２および本体側位置決め係合部５１は、各々が水平面から突出する小突起で形成されていても良いし、吐出器側若しくは本体側のいずれか一方のみ実施例の如く緩斜面の上下を結ぶように構成される位置決め係合部とし、他方を水平面に突出する小突起で位置決め係合部を構成しても良い。
【００２４】
本発明は、プッシュポンプ付き容器等にも適用できる。
【産業上の利用可能性】
【００２５】
本発明によれば、トリガー式スプレー容器等において、組立状態で、吐出器のノズルを容器本体に対する特定の方向に簡易に位置付けることができる。
【符号の説明】
【００２６】
１０  容器
１１  容器本体
１２  口部
２０  吐出器
２１  ノズル
２３  嵌着部
３０  スクリューリング
５１、５２  位置決め係合部
５１Ａ  壁上端
５１Ｂ  壁下端
５１Ｃ  緩傾斜面
【図１】
0005641784.tif 000002
【図２】
0005641784.tif 000003
【図３】
0005641784.tif 000004
【図４】
0005641784.tif 000005